(57)【特許請求の範囲】
【請求項１】
被取付け部材間に架け渡される金属製の梁本体と、
前記梁本体の少なくとも一方の端部に取付けられた取付け金物と、
前記梁本体の上面に取付けられ、前記梁本体と前記梁本体上に載置される建築用部材との連結材となる結合部材と、を含み、
前記取付け金物は、前記被取付け部材の上端部に係止されて位置決めを行う被係止部と、前記梁本体の端部に予め固定される梁端固定部とを有し、
前記梁本体は、上フランジ部、下フランジ部および前記上フランジ部と下フランジ部を連結するウェブ部とを有する断面Ｈ型形状をなし、
前記梁端固定部は、前記梁側へ延設され、前記ウェブ部の側面、前記上フランジ部下面および前記下フランジ部上面の少なくともいずれかと連結固定され、
前記梁端固定部は、その上端で前記上フランジ部下面を支持し、前記梁端固定部の上端は、水平に屈曲されて支持面を形成していることを特徴とする取付け金物付き梁。
【請求項２】
被取付け部材間に架け渡される金属製の梁本体と、
前記梁本体の少なくとも一方の端部に取付けられた取付け金物と、
前記梁本体の上面に取付けられ、前記梁本体と前記梁本体上に載置される建築用部材との連結材となる結合部材と、を含み、
前記取付け金物は、前記被取付け部材の上端部に係止されて位置決めを行う被係止部と、前記梁本体の端部に予め固定される梁端固定部とを有し、
前記取付け金物は、前記梁本体の幅を２等分する中心位置を示す芯出し部を有することを特徴とする取付け金物付き梁。
【請求項３】
被取付け部材間に、請求項１または請求項２に記載の取付け金物付き梁を用いた施工方法であって、
前記取付け金物付き梁を、前記被取付け部材間に吊り上げ移動する工程と、
前記取付け金物付き梁を、前記被取付け部材の上方より降ろして、前記被取付け部材の上端部に前記被係止部を係止させることにより位置決めを行う工程と、  前記被取付け部材と前記取付け金物との連結固定を行う工程と、を含むことを特徴とする取付け金物付き梁を用いた施工方法。
【発明の詳細な説明】
【０００１】
【発明の属する技術分野】
本発明は、梁本体の少なくとも一方の端部に予め取付け金物が連結固定され、かつ梁本体上面に結合部材を備える取付け金物付き梁およびそれを用いた施工方法に関する。
【０００２】
【背景技術および発明が解決しようとする課題】
建物の小屋組み、床組み等を構築する際に、屋根梁、床梁等の梁を被取付け部材間に架け渡す場合、例えば、以下のように取付け作業が行われている。
【０００３】
建物の壁間に屋根梁を架け渡す場合を例にとって説明すると、まず、屋根梁が取付けられる壁の垂直面の梁取付け位置に、接着剤および複数の釘によって、板材である梁受補強合板を取付ける。そして、この梁受補強合板の垂直面に梁受け金物を取付ける。梁受け金物は、建物側への壁取付け部と壁取付け部より突出した上向きコ字型の梁受け部とを有し、この梁受け部に梁端部が載置されることにより梁端部を受ける。梁受け金物の壁への取付けは、壁取付け部を梁受け補強板の垂直面に釘打ち等することにより行われる。このようにして、屋根梁が架け渡される壁のそれぞれに梁受け金物を取付けた後、屋根梁をクレーン等により吊り上げ、屋根梁の両端が、それぞれ梁受け金物の梁受け部に挿入されるように位置合わせを行いながら下降させて支持させた後、屋根梁端部と梁受け部との連結固定を行うことにより屋根梁が建屋の壁間に取付けられる。また、屋根梁の上面には、必要に応じて、屋根梁と屋根梁が支持する屋根部材とを連結する結合材が取付けられ、その後、屋根梁上に屋根部材が載置されて屋根部が構築される。
【０００４】
しかしながら、屋根梁の取付けは、屋根梁が大型部材である上、その取付け作業は高所で行われるために熟練度を要するという問題点があり、その取付け作業の簡略化が望まれていた。
【０００５】
一方、木造の建物に用いられる梁としては、通常、むく材を用いた木製梁が使用されている。しかし近年、建材として利用できる木材資源の減少による木材価格の高騰や環境問題からも木材が入手しにくくなり、部材の安定供給が困難となってきたという問題点もあった。
【０００６】
本発明は上記問題点に鑑みなされたものであり、その課題は、建物の被取付け部材への取付け作業の簡略化が可能であり、かつ安定して入手でき、しかも十分な強度を有した取付け金物付き梁およびそれを用いた施工方法を提供することにある。
【０００７】
【課題を解決するための手段】
上記課題を達成するために、請求項１記載の発明に係る取付け金物付き梁は、被取付け部材間に架け渡される金属製の梁本体と、
前記梁本体の少なくとも一方の端部に取付けられた取付け金物と、
前記梁本体の上面に取付けられ、前記梁本体と前記梁本体上に載置される建築用部材との連結材となる結合部材と、を含み、
前記取付け金物は、前記被取付け部材の上端部に係止されて位置決めを行う被係止部と、前記梁本体の端部に予め固定される梁端固定部とを有し、
前記梁本体は、上フランジ部、下フランジ部および前記上フランジ部と下フランジ部を連結するウェブ部とを有する断面Ｈ型形状をなし、
前記梁端固定部は、前記梁側へ延設され、前記ウェブ部の側面、前記上フランジ部下面および前記下フランジ部上面の少なくともいずれかと連結固定され、
前記梁端固定部は、その上端で前記上フランジ部下面を支持し、前記梁端固定部の上端は、水平に屈曲されて支持面を形成していることを特徴としている。
【０００８】
なお、ここで被取付け部材とは、取付け金物付き梁が架設される部材であり、建物の壁部、梁、柱等の構造部材のみならず、例えば、建物の壁部に設けられた補強用の板材等をも含むものとする。
【０００９】
請求項１記載の発明にあっては、取付け金物付き梁は、梁本体、取付け金物および結合部材が予め一体化形成されているので、現場においては、取付け金物付き梁を被取付け部材に取付ける作業のみで足りる。すなわち、現場における金物の取付け作業および結合部材の取付け作業を要せず、施工工程数を削減し、梁の取付け作業の簡略化が可能であり、施工時間を短縮できる。
【００１０】
また、取付け金物付き梁は、予め工場等で製造されるので、品質および精度の向上が可能で、工業化推進の要請に沿うものである。
【００１１】
さらに、梁本体は金属製であるので、部材の安定供給が可能で、コストの削減を図ることができ、強度的にも十分である。そしてさらに、取付け金物は、被係止部を有しているので、取付け金物付き梁の取付け作業が容易である。
【００１３】
また、梁本体は断面Ｈ型形状をなすことにより、剛性および軽量化の点で好ましい取付け金物付き梁を得ることができる。
【００１５】
さらに、取付け金物の梁本体端部への連結固定をより強固なものとすることができ、梁本体は、取付け金物によってより確実に支持される。
【００１７】
そしてさらに、梁端固定部が上フランジ部下面を支持することにより、梁本体は、取付け金物によってより確実に支持される。また、上端が水平に屈曲されて支持面が形成されていることにより、梁本体に取付け金物を取付ける際に、支持面を上フランジ部下面に当接させることにより容易に位置出しを行うことができる。さらに、支持面は補強用リブとして取付け金物の強度を高めることができる。
【００１８】
請求項２記載の発明は、被取付け部材間に架け渡される金属製の梁本体と、
前記梁本体の少なくとも一方の端部に取付けられた取付け金物と、
前記梁本体の上面に取付けられ、前記梁本体と前記梁本体上に載置される建築用部材との連結材となる結合部材と、を含み、
前記取付け金物は、前記被取付け部材の上端部に係止されて位置決めを行う被係止部と、前記梁本体の端部に予め固定される梁端固定部とを有し、
前記取付け金物は、前記梁本体の幅を２等分する中心位置を示す芯出し部を有することを特徴としている。
【００１９】
請求項２記載の発明にあっては、取付け金物付き梁を被取付け部材に取付ける際のセンタリングの位置合わせが容易である。さらに、取付け金物付き梁が支持する建築用部材が、取付け金物付き梁上にて接合される場合に接合部分の位置合わせが容易である。
【００２０】
請求項３記載の発明は、被取付け部材間に、請求項１または請求項２に記載の取付け金物付き梁を用いた施工方法であって、前記取付け金物付き梁を、前記被取付け部材間に吊り上げ移動する工程と、前記取付け金物付き梁を、前記被取付け部材の上方より降ろして、前記被取付け部材の上端部に前記被係止部を係止させることにより位置決めを行う工程と、前記被取付け部材と前記取付け金物との連結固定を行う工程と、を含むことを特徴としている。
【００２１】
請求項３記載の発明にあっては、取付け金物付き梁は、梁本体、取付け金物および結合部材が予め一体化形成されていて、かつ取付け金物付き梁が備える取付け金物は、被取付け部材の上端面に係止されて位置決めを行う被係止部を有するので、取付け金物付き梁をクレーン等で吊り上げて、被係止部が被取付け部材の上端面に当接するまで下降させ、被取付け部材と取付け金物との連結固定を行うという作業のみで取付け金物付き梁の作業が完了する。よって、取付け金物付き梁の取付け作業が簡略化されるので、高度な熟練を要さず、梁の取付け作業を容易に行うことができる。
【００２２】
【発明の実施の形態】
以下、本発明の好適な実施の形態について図面に基づいて説明する。
【００２３】
図１は、本実施の形態に係る取付け金物付き梁１０を示す斜視図であり、図２は取付け金物付き梁１０の端部を示す分解斜視図である。また、図３は、被取付け部材である建物の壁部１００に、取付け金物付き梁１０を取付けた状態を示す断面図である。
【００２４】
取付け金物付き梁１０は、いわゆるパネル工法により構築される建物の、対向して並設された壁部１００間に架け渡されて、屋根部１２０を、その中間部において支持する屋根梁である。
【００２５】
壁部１００は、立設された壁パネル（図示省略）および壁パネル上に立設された屋切パネル１３０により構築されている。屋切パネル１３０は、枠組みした芯材の両面に面材を貼付けて形成されたおり、その上端面１３２が屋根部１２０の傾斜に合わせて斜面として形成された三角形状のパネルである。この屋切パネル１３０の一方の垂直面１３４には、梁受補強合板１４０が取付けられている。梁受補強合板１４０は、平板状の板材であり、その上端面１４２を屋切パネル１３０の上端面１３２と面一に揃えて、接着剤および複数の釘等によって取付けられる（図３参照）。
【００２６】
また、屋根部１２０は、複数枚の屋根パネル１１０により構築される。ここで、屋根パネル１１０とは、芯材１１２を枠組みした枠体１１４の上端面に面材１１６を取付けて形成されている。
【００２７】
取付け金物付き梁１０は、図１に示すように、梁本体２０、梁本体２０の上面に取付けられた結合部材３０および梁本体２０の両端部にそれぞれ取付けられた取付け金物４０ａ，４０ｂを含み構成されている。
【００２８】
梁本体２０は、Ｈ型鋼よりなる鋼製梁であり、図１〜図３に示すように、上下に対向して配置された上フランジ部２２、下フランジ部２４および上フランジ部２２と下フランジ部２４とを連結するウェブ部２６とからなる。ウェブ部２６の両端部付近には、貫通孔２８，２８がそれぞれ穿設されている。貫通孔２８，２８は、取付け金物付き梁１０を吊り上げる際に、吊り具を設置するためのものである。貫通孔２８，２８は、貫通孔２８，２８に吊り具を設置してクレーン等で取付け金物付き梁１０を吊り上げた際に、取付け金物付き梁１０が傾かずにまっすぐ吊り上げられるように、配置されている。
【００２９】
結合部材３０は、梁本体２０の上フランジ部２２の上面に梁本体２０の長手方向に亘って全域に設けられている木製の部材である。
【００３０】
結合部材３０は、図２および図３に示すように、その上面３２が傾斜面となっている断面台形状の部材である。結合部材３０は、上下に配置されて連結している２つの部材より構成されており、下側に配置された第１の結合部材３４は断面矩形状のものであり、上側に配置された第２の結合部材３６は、その上面が傾斜面となった断面ほぼほぼ三角形状のものである。すなわち、第２の結合部材３６の上面が結合部材３０の上面３２となっている。結合部材３０の上面３２の傾斜は、取付け金物付き梁１０が支持する屋根部１２０の傾斜に対応したものである。
【００３１】
結合部材３０の厚さは、取付け金物付き梁１０が屋切りパネル１３０に取付けられた際に、結合部材３０の上端面３２が屋切りパネル１３０の上端面１３２と面一となるように設定されている。
【００３２】
結合部材３０は、第１の結合部材３４が接着材およびビス等により梁本体２０の上面に固定され、さらに第１の結合部材３４と第２の結合部材３６とが接着剤により接着されていることにより、梁本体２０の上面に取付けられている。
【００３３】
取付け金物４０ａ，４０ｂは、梁本体２０の一方の端部および他方の端部にそれぞれ取付けられている。
【００３４】
図４は、梁本体２０の一方の端部に取付けられた取付け金物４０ａを示す斜視図であり、図５（Ａ）は、取付け金物４０ａを示す平面図、同図（Ｂ）は正面図である。
【００３５】
取付け金物４０ａは、梁受補強合板１４０を介在させて屋切りパネル１３０に取付け金物付き梁１０を取付けるもので、取付け部５０ａおよび梁端固定部６０ａとを含み構成されている。
【００３６】
取付け部５０ａは、梁受補強合板１４０を介在させて屋切りパネル１３０に取付けられるものであり、梁受補強合板１４０の上端面１４２から垂直面１４４に接触するように、その上端が屈曲した断面Ｌ字状に形成されている。すなわち、取付け部５０ａは、梁受補強合板１４０の上端面１４２と当接する上面部５２ａと梁受補強合板１４０の垂直面１４４と当接する正面部５８ａとを有する。上面部５２ａは、取付け金物付き梁１０を取付ける際に、梁受補強合板１４０の上端面１４２に係止される被係止部となる。
【００３７】
また、取付け部５０ａは、屋切りパネル１３０の上端面１３２の傾斜に沿っている梁受補強合板１４０の上端面１４２に対応して、図４および図５に示すように、その上部が傾斜して形成されている。すなわち、取付け部５０ａは、その上部が一方の端部側（棟側）より他方の端部側（軒側）へ下降傾斜して形成されている。
【００３８】
取付け部５０ａのＬ字状の屈曲部分には補強のためのリブ５４ａが所定間隔で複数設けられている。また、上面部５２ａおよび正面部５８ａには、梁受補強合板１４０との連結を行うための釘孔５７ａが複数穿設されている。
【００３９】
正面部５８ａの上端の中央付近にはＶ字状の溝５９ａが形成されている。この溝５９ａは、梁本体２０の幅を２等分するの中心位置を示すものであり、取付け金物付き梁１０を梁受補強合板１４０に取付ける際の芯出しおよび取付け金物付き梁１０上に屋根パネル１１０を載置する際の芯出しに用いられるものである。
【００４０】
上面部５２ａは、その中央付近に切欠き部５６ａを有する。切欠き部５６ａの幅は、屋切りパネル１３０上に載置固定される屋根パネル１１０を構成する芯材１１２の幅のすくなくとも２倍以上で、その奥行きは、上面部５２ａの奥行きと等しい。従って、切欠き部５６ａは、中央付近の上面部５２ａを切り取って形成されたものである。切欠き部５６ａは、屋切りパネル１３０および取付け金物付き梁１０上に屋根パネル１１０が載置固定される際に、屋根パネル１１０の芯材１１２がこの切欠き部５６ａ内に配置されて、上面部５２ａが屋根パネル１１０の芯材１１２を干渉するのを防ぐものである
梁端固定部６０ａは、金属平板よりなり、正面部５８ａの所定位置に、上面部５２ａと反対方向に、正面部５８ａと直交して梁本体２０側へ延出形成されている部材である。梁端固定部６０ａは、梁本体２０の端部において、梁本体２０と連結固定されている部材である。
【００４１】
梁端固定部６０ａは、その上端が梁本体２０の上フランジ部２２下面を支持する梁支持部６２ａをなし、かつその片側の側面が、梁本体２０のウェブ部２６の軒側側面と当接して、ウェブ部２６と連結固定されている梁取付け部６４ａを形成している。
【００４２】
梁支持部６２ａは、軒側へ水平に屈曲して梁本体２０の上フランジ部２２下面を支持する梁支持面が形成されている。梁支持部６２ａは、軒側へ水平に屈曲されていることにより、取付け金物４０ａを補強する補強用リブとしても機能する。
【００４３】
また、梁端固定部６０ａの先端部には、先端部が上端部と同方向に屈曲して形成された補強用リブ６６ａが形成されていて、取付け金物４０ａの強度を補強している。
【００４４】
梁取付け部６４ａには取付け金物４０ａを梁本体２０と連結固定するための２つのボルト孔６８ａ，６８ａが上下に並んで穿設されている。
【００４５】
梁端固定部６０ａは、梁本体２０と梁端固定部６０ａとが連結された状態で、梁本体２０が正面部５８ａのほぼ中央位置に配置されるように、正面部５８ａに設けられている。すなわち、梁本体２０と梁端固定部６０ａとは、図１から図３に示すように、梁連結部６４ａが梁本体２０のウェブ部２６の軒側側面と当接して連結固定されるので、梁端固定部６０ａは、梁本体２０の幅の中心位置を示す溝部５９ａより若干軒側寄りに形成されている（図４および図５参照）。
【００４６】
また、梁端固定部６０ａは、正面部５８ａの上端より所定間隔をあけた位置に設けられている。この位置は、梁本体２０の上面に結合部材３０が取付けられた状態で、結合部材３０の上面３２と正面部５８ａの上端とがほぼ面一となるように設定されているものである。すなわち、取付け金物付き梁１０が梁受補強合板１４０に取付けられた際に、その上端面１４２と結合部材３０の上面３２とが面一となるように、梁端固定部６０ａは正面部５８ａに設けられているものである。
【００４７】
上記のように構成された取付け金物４０ａの梁本体２０への一方の端部への取付けについて図２を参照しながら説明する。
【００４８】
梁本体２０の上フランジ部２２下面を梁端固定部６０ａの梁支持部６２ａと当接させ、かつウェブ部２６ａの軒側側面と梁取付け部６４ａとを当接させる。梁本体２０の端部には、この状態で、取付け金物４０ａの梁取付け部６４ａに設けられたボルト孔６８ａ，６８ａと対応するボルト孔２９，２９が穿設されている。
【００４９】
すなわち、梁端固定部６０ａの梁支持部６２ａおよび梁取付け部６４ａを、梁本体２０の上フランジ部２２下面およびウェジ部２６に当接するようにすれば、梁本体２０に対して取付け金物４０ａを正しい取付け位置に配置することができるので、位置出しが容易である。そして、梁取付け部６４ａのボルト孔６８ａ，６８ａと梁本体２０のボルト孔２９，２９を利用して軒側からボルト７０，７０を挿通させて、棟側から座金７２，７２を介してナット７４，７４を締めて梁本体２０の端部に取付け金物４０ａを取付ける。
【００５０】
図６は、梁本体２０の他方の端部に取付けられている取付け金物４０ｂを示す斜視図である。取付け金物４０ｂは、取付け金物４０ａと対称な形状となっていることを除けば、取付け金物４０ａと同様の部材であるので、その説明は省略する。取付け金物４０ａと同様の部材については、同符号を用い、末尾にｂを記載することとする。
【００５１】
取付け金物４０ｂは、梁本体２０の他方の端部に取付けられる。その取付けは、図１に示すように、取付け金物４０ｂの梁端固定部６０ｂの梁支持部と梁本体２０の上フランジ部２２下面とが当接され、かつ梁取付け部６４ｂとウェブ部２６の棟側側面とが当接されてボルト７０，７０により取付けられる。したがって、取付け金物４０ａの梁端固定部６０ａと取付け金物４０ｂの梁端固定部６０ｂとで、それぞれウェブ部２６を軒側および棟側から挟持して、取付け金物４０ａと取付け金物４０ｂとは、梁本体２０の一方の端部および他方の端部に取付けられている。取付け金物４０ａ，４０ｂがそれぞれの梁端固定部６０ａ，６０ｂにより梁本体２０のウェブ部２６を挟持して取付けられていることにより、梁本体２０ａは取付け金物４０ａ，４０ｂにより強固に支持され、取付け金物付き梁１０としての釣り合いも良好なものとなる。
【００５２】
次に、取付け金物付き梁１０を用いて、屋切りパネル１３０への取付けを行う施工方法について、図７を参照しながら述べる。
【００５３】
上述した構成の取付け金物付き梁１０は、予め工場等で一体的に形成されて現場へ搬送される。現場へ搬送された取付け金物付き梁１０は、まず、梁本体２０のウェブ部２６に設けられた貫通孔２８，２８を用いて、吊り具（図示省略）が設置され、吊り具を介してクレーン等により、立設された屋切りパネル１３０間に吊り上げ移動される。
【００５４】
なお、屋切りパネル１３０の取付け金物付き梁１０の取付け位置には、上述したように、梁受補強合板１４０がその上端面１４２を屋切りパネルの上端面１３２に面一に揃えて取付けられている。また、梁受け補強合板１４０には、取付け金物付き梁１０の芯出し位置に予め墨出しがされている（図示略）。
【００５５】
次に、吊り上げられた取付け金物付き梁１０を、被係止部である取付け金物４０ａの上面部５２ａが梁受補強合板１４０の上端面１４２に当接するまで下降する。この際、梁受け補強合板１４０に設けられた墨出し位置と取付け金物４０ａの溝部５９ａとを合わせて、芯出しの位置合わせを行う。必要であれば、取付け金物付き梁１０を適宜ずらして位置を合わせる。
【００５６】
それから、取付け金物４０ａの上面部５２ａおよび正面部５８ａに設けられた複数の釘孔５７ａを介して釘打ちを行い、取付け金物４０ａと梁受補強合板１４０とを連結固定する。同様にして、取付け金物付き梁１０の他方の端部においても取付け金物４０ｂと梁受補強合板との連結固定を行い、取付け金物付き梁１０の屋切りパネル１３０間への取付けが完了する。
【００５７】
この状態で、屋切りパネル１３０の上端面１３２と取付け金物付き梁１０の結合材３０の上面３２とは、面一となっている。
【００５８】
その後、屋根パネル１１０が屋切りパネル１３０および取付け金物付き梁１０の結合部材３０上に敷込まれて、屋根部１２０の構築が行われる（図３参照）。
【００５９】
屋根パネル１１０は、複数枚連設されて屋根部１２０を構築するもので、取付け金物付き梁１０は、屋根パネル１１０同士の接合部分の下に配設される。この場合、屋根パネル１１０を構成している芯材１１２の厚みにより、芯材１１２と梁の取付け金物とが干渉することが生じる場合がある。しかし、取付け金物付き梁１０の取付け金物４０ａは、上面部５２ａに切欠き部５６ａを有していることにより、屋根パネル１１０は、この切欠き部５６ａ内に、その芯材１１２が位置するように載置されることにより、取付け金物４０ａと屋根パネル１１０の芯材１１２とがぶつかり合うことを避けることができる。また、切欠き部５６ａの幅は、芯材１１２の幅よりも少なくとも２倍以上に設定されているので、接合される両屋根パネル１１０，１１０のそれぞれの芯材１１２，１１２が切欠き部５６ａ内に載置されることが可能である。
【００６０】
このように、本実施の形態に係る取付け金物付き梁１０であれば、梁本体２０、取付け金物４０ａ，４０ｂおよび結合部材３０が予め一体化形成されているので、現場においては、取付け金物付き梁１０を建物の壁部１００に取付ける作業のみで足りる。
【００６１】
また、取付け金物付き梁１０が備える取付け金物４０ａ，４０ｂは、被取付け部材である梁受補強合板１４０の上端面１４２に係止されて位置決めを行う被係止部である上面部５２ａ，５２ｂを有するので、クレーン等で吊り上げた取付け金物付き梁１０を、上面部５２ａが梁受補強合板１４０の上端面１４２に当接するまで下降させれば、容易に位置決めを行うことができる。
【００６２】
取付け金物付き梁１０が結合部材３０を予め備えているので、取付け金物付き梁１０の取付けが完了した時点で、屋根パネル１１０を載置するための取付け面が形成される。
【００６３】
このように、従来の梁の取付け作業と比して現場における施工工程数が削減でき、取付け作業の簡略化が可能で、施工時間の短縮を図ることができる。
【００６４】
さらに、取付け金物付き梁１０は、予め工場等で製造されるので、品質および精度の向上が可能で、工業化推進の要請に沿うものである。
【００６５】
梁本体２０は鋼製梁であるので、部材の安定供給が可能で、コストの削減を図ることができる。また、強度的にも十分である。さらに、梁本体２０は、Ｈ型鋼を用いているので、組立梁を用いる場合と比して、製造が容易であり、上下フランジ部とウェブ部とからなる形状は、剛性および軽量化の点で好ましい。
【００６６】
取付け金物４０ａは、梁端固定部６０ａが梁本体２０側へ延設され、その上端で上フランジ部２２下面を支持し、かつウェブ部２６側面と連結しているので、梁本体２０と強固に連結され、梁本体２０をより確実に支持することができる。また、梁支持部６２ａおよび梁取付け部６４ａは、それぞれ補強用リブを備えることにより、取付け金物４０ａの強度をより高いものとできる。さらに、取付け金物４０ａは、梁本体２０の幅を２等分する中心位置を示す溝部５９ａを有することにより、取付け金物付き梁１０を取付ける際の芯の位置合わせおよび屋根パネル１１０を取付け金物付き梁１０に載置する際の屋根パネル１１０，１１０同士の接合部分の位置合わせが容易である。
【００６７】
本発明は、上記実施の形態に限定されるものではなく、発明の要旨の範囲内で種々の変形実施が可能である。
【００６８】
例えば、本実施の形態においては、取付け金物付き梁として屋根部を支持する屋根梁について説明したが、これに限定されず、例えば床部を支持する床梁の場合でも本発明の適用は可能である。
【００６９】
また、取付け金物および結合部材の形状は、本実施の形態の限定されず、架け渡される場所や支持する部材により種々の変形が可能である。被取付け部材間に架け渡されて床部を支持する床梁である取付け金物付き梁の一例を図８に示す。取付け金物付き梁８０の備える取付け金物９０ａ，９０ｂは、その上部が被取付け部材に合わせて平坦に形成され、かつ結合部材９２も支持する床部に対応してその上面９４は平坦なものとなる。
【００７０】
さらに、梁本体は必ずしも断面Ｈ型形状のものに限定されず、矩形状等種々の形状をとり得る。
【００７１】
また、取付け金物が有する芯出し部は、本実施の形態に限定されず、例えば、取付け金物の上面部（被係止部）に溝部を設けてもよいし、あるいは、被取付け部材側に案内部材を設けて、芯出しを行う場合の考えられる。例えば、被取付け部材に突起状（例えば釘等）の案内部材を設け、かつ取付け金物の上面部にＶ字状の溝部を設ける方法が考えられる。この場合、溝部の案内部材を嵌め込むことにより芯出し位置を一義的に決めることができる。
【００７２】
さらに、取付け金物は、梁本体の端部に溶接等で連結されていてもよい。
【００７３】
本実施の形態においては、取付け金物付き梁が取付けられる建物としてパネル工法により構築される建物を例にとって説明したが、これに限定されず、本発明は、ツーバイフォー工法、軸組工法等種々の建物工法による建物に適用可能である。
【００７４】
【発明の効果】
請求項１記載の発明に係る取付け金物付き梁によれば、現場における金物の取付け作業および結合部材の取付け作業を要せず、施工工程数を削減し、梁の取付け作業の簡略化が可能であり、施工時間を短縮できる。
【００７５】
また、取付け金物付き梁は、予め工場等で製造されるので、品質および精度の向上が可能で、工業化推進の要請に沿うものである。
【００７６】
さらに、梁本体は金属製であるので、部材の安定供給が可能で、コストの削減を図ることができる。また、強度的にも十分である。
【００７７】
さらに、剛性および軽量化の点で好ましい取付け金物付き梁を得ることができる。
【００７８】
また、取付け金物の梁本体端部への連結固定をより強固なものとすることができ、梁本体は、取付け金物によってより確実に支持される。
【００７９】
そしてさらに、梁本体は、取付け金物によってより確実に支持される。また、上端が水平に屈曲されて支持面が形成されていることにより、梁本体に取付け金物を取付ける際に、支持面を上フランジ部下面に当接させることにより容易に位置出しを行うことができる。さらに、支持面は補強用リブとして取付け金物の強度を高めることができる。
【００８０】
請求項２記載の発明によれば、取付け金物付き梁を被取付け部材に取付ける際のセンタリングの位置合わせを容易にすることができる。さらに、取付け金物付き梁が支持する建築用部材が、取付け金物付き梁上にて接合される場合に接合部分の位置合わせを容易にすることができる。
【００８１】
請求項３記載の発明によれば、高度な熟練を要さず、容易に行うことができる被係合部材間への梁の取付け作業方法を得ることができる。
【図面の簡単な説明】
【図１】本実施の形態に係る取付け金物付き梁を示す斜視図である。
【図２】本実施の形態に係る取付け金物付き梁の一方の端部を示す分解斜視図である。
【図３】壁部に取付け金物付き梁を取付けた状態を示す断面図である。
【図４】本実施の形態に係る取付け金物付き梁の一方の端部に取付けられた取付け金物を示す斜視図である。
【図５】同図（Ａ）は、図４に示す取付け金物の平面図を示し、同図（Ｂ）は、正面図を示す。
【図６】本実施の形態に係る取付け金物付き梁の他方の端部に取付けられた取付け金物を示す斜視図である。
【図７】取付け金物付き梁を屋切りパネルに取付ける状態を示す斜視図である。
【図８】取付け金物付き梁の変形例を示す斜視図である。
【符号の説明】
１０  取付け金物付き梁
２０  梁本体
２２  上フランジ部
２４  下フランジ部
２６  ウェブ部
３０  結合部材
３２  上面
４０ａ，４０ｂ  取付け金物
５０ａ，５０ｂ  取付け部
５２ａ，５２ｂ  上面部（被係止部）
５８ａ，５８ｂ  正面部
５９ａ，５９ｂ  溝部（芯出し部）
６０ａ，６０ｂ  梁端固定部
６２ａ，６２ｂ  梁支持部
６４ａ，６４ｂ  梁取付け部
６６ａ，６６ｂ  補強用リブ
（変形例）
８０  取付け金物付き梁
９０ａ，９０ｂ  取付け金物
９２  結合部材
９４  上面
【図１】
0003685846.tif 000002
【図２】
0003685846.tif 000003
【図３】
0003685846.tif 000004
【図４】
0003685846.tif 000005
【図５】
0003685846.tif 000006
【図６】
0003685846.tif 000007
【図７】
0003685846.tif 000008
【図８】
0003685846.tif 000009